(57)【要約】  本発明は、少なくとも１つの駐車過程状態（ＰＶＳ）において自動車（１）を運転するための方法に関する。  本発明により、少なくとも１つの予め決められた自動車に特異的な若しくは駐車過程状態に特異的な機能（Ｆ）が、自動車（１）の少なくとも１つの予め決められた駐車過程状態（ＰＶＳ）に割り当てられ、自動車（１）が少なくとも１つの予め決められた駐車過程状態（ＰＶＳ）にあるかどうかが判定され、自動車（１）が少なくとも１つの予め決められた駐車過程状態（ＰＶＳ）にあるとき、この少なくとも１つの予め決められた駐車過程状態（ＰＶＳ）に割り当てられた予め決められた自動車に特異的な若しくは駐車過程に特異的な機能（Ｆ）が、起動のために自動車ユーザ（Ｎ）に提示される又は自動的に起動される。  更に、本発明は、本方法を実施するための装置（４）に関する。
2018505085.tif 000002
【特許請求の範囲】
【請求項１】
駐車過程状態（ＰＶＳ）において自動車（１）を運転するための方法であって、
−予め決められた自動車に特異的な又は駐車過程状態に特異的な機能（Ｆ）が、前記自動車（１）の少なくとも１つの予め決められた駐車過程状態（ＰＶＳ）に割り当てられ、
−前記自動車（１）が前記１つの予め決められた駐車過程状態（ＰＶＳ）にあるかどうかが判定され、
−前記自動車（１）が前記１つの予め決められた駐車過程状態（ＰＶＳ）にあるとき、この１つの予め決められた駐車過程状態（ＰＶＳ）に割り当てられた前記予め決められた自動車に特異的な又は駐車過程状態に特異的な機能（Ｆ）が、起動のために自動車ユーザ（Ｎ）に提示される又は自動的に起動されることを特徴とする、方法。
【請求項２】
請求項１に記載の方法であって、
前記自動車（１）の予め決められた駐車過程状態（ＰＶＳ）に対する前記１つの予め決められた自動車に特異的な又は駐車過程状態に特異的な機能（Ｆ）の前記割り当てが、習得過程（Ｌ）において実施され、前記習得過程（Ｌ）が、１つ又は複数の以下のステップ、すなわち、
−前記駐車過程状態（ＰＶＳ）、及び前記自動車ユーザ（Ｎ）によって起動される学習モードにおいてこの駐車過程状態（ＰＶＳ）で実施される自動車に特異的な又は駐車過程状態に特異的な機能（Ｆ）の少なくとも１つの起動を保存するステップ、
−複数回発生した前記駐車過程状態（ＰＶＳ）、及び発生したそれぞれの駐車過程状態（ＰＶＳ）において実施される自動車に特異的な又は駐車過程状態に特異的な機能（Ｆ）の少なくとも１つの起動を保存するステップ、
−少なくとも１つの駐車過程状態（ＰＶＳ）、及び少なくとも１つの割り当てられる自動車に特異的な又は駐車過程状態に特異的な機能（Ｆ）を予め決めるステップ、並びにこれらの予め決めたことを保存するステップ、を含むことを特徴とする、方法。
【請求項３】
請求項１又は２に記載の方法であって、
前記自動車（１）が前記少なくとも１つの予め決められた駐車過程状態（ＰＶＳ）にあるとき、過去に前記予め決められた駐車過程状況（ＰＶＳ）で最も頻繁に使用された前記自動車に特異的な又は駐車過程状況に特異的な機能（Ｆ）の１つ又は複数のパラメータが、起動のために前記自動車ユーザ（Ｎ）に提示されることを特徴とする、方法。
【請求項４】
請求項１〜３のいずれか一項に記載の方法であって、
前記１つの予め決められた駐車過程状態（ＰＶＳ）に割り当てられた、前記予め決められた自動車に特異的な又は駐車過程状態に特異的な機能（Ｆ）が、前記自動車ユーザ（Ｎ）による確認後に起動されることを特徴とする、方法。
【請求項５】
請求項１〜４のいずれか一項に記載の方法であって、
前記予め決められた駐車過程状態（ＰＶＳ）が、少なくとも１つ又は複数の以下の基準（Ｋ）、すなわち、
−前記自動車（１）の位置（ＫＰ）、
−前記駐車過程状態（ＰＶＳ）の時点（ＫＺ）又は期間、
−自動車ユーザ認証（ＫＮ）、
−前記自動車ユーザ（Ｎ）の位置、
−実際の又は予測された気象情報（ＫＷ）、
−自動車周辺情報、
−駐車軌道（ＫＴ）、によって特徴付けられることを特徴とする、方法。
【請求項６】
請求項１〜４のいずれか一項に記載の方法であって、
前記予め決められた駐車過程状態（ＰＶＳ）に、自動車に特異的な又は駐車過程状態に特異的な機能（Ｆ）として、以下の１つ、すなわち、
−駐車場の閉鎖装置を起動すること、
−前記自動車（１）の暖房装置を起動すること、
−前記自動車（１）の空調装置を起動すること、
−前記自動車（１）の換気装置を起動すること、
−前記自動車（１）のライト装置を起動すること、又は、前記ライト装置の停止の遅延を起動すること、
−前記自動車（１）のパワートレイン要素又はブレーキ装置の予め決められたパラメータを設定すること、
−前記自動車（１）の補助ヒータを起動すること、又は前記補助ヒータのパラメータを設定すること、
−前記自動車（１）の幌機構を起動すること、
−前記自動車（１）のウィンドウ要素の調整機構を起動すること、
−前記自動車（１）の自動車シートの予め決められたシート調整を起動すること、
−前記自動車（１）のバックミラーの予め決められたミラー調整を起動すること、
−前記自動車（１）のロックシステムを起動すること、
−前記自動車（１）のスタンバイモードを起動又は停止すること、が割り当てられることを特徴とする、方法。
【請求項７】
請求項１〜４のいずれか一項に記載の方法であって、
前記１つの予め決められた駐車過程状態（ＰＶＳ）を検出するために、又は前記１つの予め決められた自動車に特異的な又は駐車過程状態に特異的な機能（Ｆ）を起動するために、無線データ伝送接続が使用されることを特徴とする、方法。
【請求項８】
請求項７に記載の方法であって、
前記１つの予め決められた駐車過程状態（ＰＶＳ）に利用可能である多数の利用可能な無線データ伝送接続に対し、前記１つの予め決められた駐車過程状態（ＰＶＳ）に最も適合したデータ伝送接続が使用されることを特徴とする、方法。
【請求項９】
請求項１〜４のいずれか一項に記載の方法であって、
前記自動車（１）が前記予め決められた駐車過程状態（ＰＶＳ）にあるとき、複数の予め決められた自動車に特異的な又は駐車過程状態に特異的な機能（Ｆ）が、前記予め決められた駐車過程状態（ＰＶＳ）の間、複数のステップにおいて順次、起動のために前記自動車ユーザ（Ｎ）に提示されるように、又は自動的に起動されるように、いくつかの予め決められた自動車に特異的な又は駐車過程状態に特異的な機能が、前記自動車（１）の前記予め決められた駐車過程状態（ＰＶＳ）に割り当てられることを特徴とする、方法。
【請求項１０】
請求項１〜９のいずれか一項に記載の方法の実施のために形成された装置（４）であって、前記装置により、
−少なくとも１つの予め決められた自動車に特異的な又は駐車過程状態に特異的な機能（Ｆ）が、前記自動車（１）の少なくとも１つの予め決められた駐車過程状態（ＰＶＳ）に割り当て可能であり、
−前記自動車（１）が前記少なくとも１つの予め決められた駐車過程状態（ＰＶＳ）にあるかどうかが判定可能であり、
−前記自動車（１）が前記少なくとも１つの予め決められた駐車過程状態（ＰＶＳ）にあるとき、この少なくとも１つの予め決められた駐車過程状態（ＰＶＳ）に割り当てられた前記予め決められた自動車に特異的な若しくは駐車過程状態に特異的な機能（Ｆ）が、起動のために前記自動車ユーザ（Ｎ）に提示可能である又は自動的に起動可能である、装置。
【発明の詳細な説明】
【技術分野】
【０００１】
本発明は、請求項１のプリアンブルに記載の自動車の運転方法及び本方法を実施するための装置に関する。
【背景技術】
【０００２】
従来技術から、特許文献１に記載されているように、自動車を運転するための、特に観察できない／道路から離れた駐車区域において自動車によって駐車場に向けて走行するための方法及び装置が既知である。本方法では、自動車の周辺データが検知される。駐車区域における駐車場に向かう走行では、この駐車場が自宅駐車場であるか、又は駐車区域が自宅駐車区域であるかどうかが特定される。特定された自宅駐車場及び特定された自宅駐車場への自動車の接近又は特定された自宅駐車区域及び特定された自宅駐車区域への自動車の接近では、検出された周辺データ又は走行データは、保存又は更新される。学習モードでは、周辺データ又は走行データから、複数の軌道は、少なくとも１つの自宅駐車区域の少なくとも１つの自宅駐車場に対して決定かつ保存される。運転モードでは、少なくとも１つの自宅駐車区域の少なくとも１つの自宅駐車場に向かう走行の場合、可能性のある走行可能な軌道は、選択及び起動のために提示されるか、又は決定された軌道のうち１つのみが走行可能であるとき、その軌道は、自動的に起動される。
【０００３】
特許文献２では、自動車を運転するための、特に観察できない／道路から離れた駐車区域において自動車によって駐車場に向けて走行するための方法及び装置が説明されている。本方法では、自動車の周辺データが検知される。駐車区域における駐車場に向かう走行では、この駐車場が自宅駐車場であるか、又は駐車区域が自宅駐車区域であるかどうかが特定される。特定された自宅駐車場及び特定された自宅駐車場への自動車の接近又は特定された自宅駐車区域及び特定された自宅駐車区域への自動車の接近では、検出された周辺データ又は走行データは、保存又は更新される。
【先行技術文献】
【特許文献】
【０００４】
【特許文献１】ＤＥ  １０  ２０１３  ０１５  ３４８  Ａ１
【特許文献２】ＤＥ  １０  ２０１３  ０１５  ３４９  Ａ１
【発明の概要】
【発明が解決しようとする課題】
【０００５】
本発明の課題は、従来技術よりも改良された自動車の運転方法及び本方法を実施するための装置を提供することである。
【課題を解決するための手段】
【０００６】
本課題は、請求項１の特徴を有する自動車の運転方法及び請求項１０の特徴を有する本方法を実施するための装置によって、本発明により解決される。
本発明の有利な実施形態は、従属請求項の主題である。
【０００７】
駐車過程状態にある自動車の運転方法では、予め決められた自動車に特異的な又は駐車過程状態に特異的な機能が、自動車の予め決められた駐車過程状態に、本発明により割り当てられる。自動車は、予め決められた駐車過程状態にあるかどうかが判定される。自動車が予め決められた駐車過程状態にあるとき、割り当てられた機能が、起動のために自動車ユーザに提示される又は自動的に起動される。
【０００８】
特に自動車の追加機能として形成されている自動車に特異的な若しくは駐車過程状態に特異的な機能が、本方法により自動的に起動されることができる又は起動のために自動車ユーザに提示されることができるため、より詳しく言えば、自動車ユーザにとって有意義な時点に対してそれぞれ、自動車に特異的な若しくは駐車過程状態に特異的なそれぞれの機能の起動が有意義かつ有利であるか又は少なくとも有意義かつ有利であってもよいそれぞれの駐車過程状態に機能が割り当てられているため、本方法は、自動車ユーザに対する快適性を向上する。このようにして、自動車ユーザがこの自動車に特異的な又は駐車過程状態に特異的な機能をそれぞれ個々に呼び出すか、それぞれの機能に関する特定のスイッチの操作によって個々に起動するか、又はそれぞれの機能を自動車の集中操作システムのサブメニューで探すことは、もはや必要ではない。最新の自動車は、大量のかかる追加機能を備えるため、本方法は、自動車ユーザに対してこの追加機能の有意義な利用のための大幅な簡略化を示し、加えて、自動車ユーザの時間の節約が、達成される。追加機能は、容易に操作可能となり、加えて、良好な視認性は、ほとんど利用しない追加機能でも達成される、すなわち、自動車ユーザは、自身がどの追加機能をそれぞれの駐車過程状態で利用可能か、本方法によって認識し、その結果、自動車ユーザは、使用する可能性がまれにしかない、したがって、自動車ユーザにとって容易に忘れてしまう恐れがある追加機能でも有意義に利用することができる。
【０００９】
本方法は、自動車ユーザが駐車過程、例えば、自動車の駐車場での入庫又は出庫を従来の方法で自発的に実施する駐車過程状態に適していると同様に、それぞれの駐車過程を自動車によって半自動的又は全自動的に実施する駐車過程状態にも適している。特に有利には、本方法は、それぞれの駐車過程がいわゆる遠隔駐車として実施される駐車過程状態にも適している、すなわち、自動車ユーザ、特に自動車運転者は、自動車の外に位置して、好適には無線データ通信接続を介して自動車と接続された遠隔操作ユニットを使用してそれぞれの駐車過程を開始、制御、調整、又は監視する。その際、本方法は、自動車の外にいる自動車ユーザが自動車に特異的な又は駐車過程状態に特異的な機能を上述の従来の方法ではなくそれぞれ個々に自動車に呼び出し、自動車内の特定のスイッチを操作することによって個々に起動するか、自動車の集中操作システムのサブメニューで探すことができるため、特に有利である。したがって、本方法を使用して、それぞれの予め決められた駐車過程状態に割り当てられた予め決められた自動車に特異的な又は駐車過程状態に特異的な機能は、自動車がそれぞれの予め決められた駐車過程状態にあるとき、目的に応じて自動的に起動されるか、又は目的に応じて遠隔操作ユニットを介して起動のために自動車ユーザに提示されるかのいずれか一方である。
【００１０】
目的に応じて、予め決められた駐車過程状態に対する予め決められた自動車に特異的な又は駐車過程状態に特異的な機能の割り当ては、習得過程において実施され、習得過程は、１つ又は複数の以下のステップを含む。
【００１１】
−、特に自動車がそれぞれの駐車過程状態にあるときに駐車過程状態を保存するステップ、及び、自動車ユーザによって起動される学習モードにおいてこの駐車過程状態において実施される自動車に特異的な又は駐車過程状態に特異的な機能の起動を保存するステップ、この場合、これは、自動車ユーザによって何度も実施することができる。この場合したがって、例えば、自動車ユーザによる操作及び駐車過程状態は、学習モードの起動のあと共に記録かつ保存される。
【００１２】
−駐車過程状態における自動車に特異的な又は駐車過程状態に特異的な機能の起動を保存するステップ。この場合、例えば、起動時点、又は特定の駐車過程状態に対する自動車に特異的な若しくは駐車過程状態に特異的な機能の起動時点が、保存される。機能の起動又は変更は、自動車ユーザによる操作により又は自動的に、特定の又は認識された駐車過程状態に対して割り当てることができる。
【００１３】
−複数回発生した駐車過程状態、及び発生したそれぞれの駐車過程状態において実施される自動車に特異的な又は駐車過程状態に特異的な機能の起動を保存するステップ。この場合したがって、目的に応じて、自動車ユーザによる操作の継続的な学習は、複数回発生している駐車過程状態が起きた場合、特に複数回使用される駐車状態を実施する場合、自動的に実施される。
【００１４】
−駐車過程状態、及び割り当てられる自動車に特異的な若しくは駐車過程状態に特異的な機能を予め決めるステップ、並びにこれらの予め決めたことを保存するステップ。例えば、したがって目的に応じて、調整は、自動車ユーザによる調整の希望によってそれぞれの駐車過程状態に関するメニューで実施され、これらの調整の希望の保存は、駐車過程状態と共に実施される、すなわち、自動車ユーザは、目的に応じて、駐車過程状態及び場合によりこれの特徴を表す基準だけではなく、１つ若しくは複数の自動車に特異的な又は駐車過程状態に特異的な条件に関してこの駐車過程状態に対して望まれる調整を、例えば、メニューから又は別の方法で選択し、これらを共に保存する。特に、第１と第３の、又は第２と第３の変形形態の組み合わせもまた可能である。この調整は、自動車に限定せずに行われる。これは、（ウェブ）サーバを介しても、自宅から行うことができる。すなわち、調整は、遠隔設定の範囲内で行うことができる。運転者は、提案された追加機能を自身のＰＣにおいて自宅で設定する。
【００１５】
特に、新しい起動又は起動の変更の学習は、通常運転又は運転モードで行われてもよい。すなわち、起動は、絶えず学習することができる。特別な習得過程は、存在する必要はないということである。
【００１６】
同様に、機能の起動の学習は、駐車過程状態の学習とは無関係に開始することが考えられる。自動車は、家の前のガレージが関連する駐車過程状態であることを学習済みであり、またそれに加えて、既に軌道を十分良好に保存済みである。その後続いて、自動車は、運転者がその状態から離れて（部分的に）自動的に運転している場合、走行時に繰り返しガレージドアオープナーを確認し、又は最後に翌日用の補助ヒータを繰り返し起動することを学習する。
【００１７】
自動車が少なくとも１つの予め決められた駐車過程状態にあるかどうかという判定、及び、それが事実であれば、この１つの予め決められた駐車過程状態に割り当てられた予め決められた自動車に特異的な若しくは駐車過程状態に特異的な機能の起動の提示又は自動起動は、通常運転又は運転モード又は自動車の運転過程において得られる。
【００１８】
本方法に有利な実施形態では、自動車が少なくとも１つの駐車過程状態にあるとき、過去に予め決められた駐車過程状態において最も頻繁に使用された、自動車に特異的な又は駐車過程状態に特異的な機能の１つ又は複数のパラメータが、起動のために自動車ユーザに提示される。すなわち、自動車ユーザに、自動車に特異的な又は駐車過程状態に特異的な機能の起動が提示されるだけではなく、過去に機能に対してそれぞれの駐車過程状態において頻繁に使用されたパラメータを伴う機能の起動が提示され、またデフォルト値と共に表示され、その結果、自動車ユーザは、容易かつ迅速な方法で機能の所望の形態を調整することができる。あるいは、例えば、上述したように、自動車に特異的な又は駐車過程状態に特異的な機能又は複数のこれらの機能の起動のみが、自動車ユーザに提示されてもよい。これは、例えば、その場合に自動車ユーザに起動のために示される、いわゆるショートカットによって自動車の操作システムで行うことができ、その結果、自動車ユーザは、それぞれの機能を集中操作システムのサブメニューで探す必要はない。
【００１９】
既に言及したように、起動のこの提案又は起動のために利用可能となっているパラメータの提案もまた、自動車ユーザが自動車の外にいるとき、自動車の従来の操作要素は、それぞれの自動車に特異的な又は駐車過程状態に特異的な機能を利用可能になっていないため、特に上述の遠隔パーキングの場合に有利である。この場合、例えば、対応するショートカット又は別の起動選択肢又は起動可能なパラメータは、遠隔操作ユニット上に表示してもよい。更に、上述したように、自動車に特異的な又は駐車過程状態に特異的な機能の自動起動もまた、特にそれぞれの駐車過程状態に関して保存された構成において、すなわち、保存されたパラメータ設定を用いて可能である。
【００２０】
本方法の有利な実施形態では、予め決められた駐車過程状態に割り当てられた予め決められた自動車に特異的な又は駐車過程状態に特異的な機能は、自動車ユーザによる確認後に起動される、すなわち、自動車ユーザのこの確認は、必要であり、起動は、自動車ユーザによる確認後に行われる。このようにして、自動車ユーザが所望しない起動は、回避される。そのために目的に応じて、自動車が実際に置かれたそれぞれの駐車過程状態に割り当てられた予め決められた自動車に特異的な又は駐車過程状態に特異的な機能の起動が、自動車ユーザにより所望されているかどうか、自動車ユーザに対する照会、すなわち、問い合わせが行われる。
【００２１】
目的に応じて、予め決められた駐車過程状態は、１つ又は複数の以下の基準、すなわち
−自動車の位置、
−駐車過程状態の時点又は期間、
−自動車ユーザ認証、
−自動車ユーザの位置、
−少なくとも１つの実際の又は予測された気象情報、
−少なくとも１つの自動車周辺情報、
−駐車軌道、によって特徴付けられる。
【００２２】
自動車の位置は、例えば、衛星支援全地球測位システム、例えば、ＧＰＳを介して、又は自動車の周辺検知装置を使用して、又は別の方法で特定することができる。そのようにして位置から、例えば、自動車が自宅駐車場の近くにあるのか、又は頻繁に使用する駐車場の近くにあるのか、又はかかる駐車場にあるのかを特定することができる。駐車場は、例えば、ガレージとしてもまた形成されていてもよい。自動車ユーザの同定は、例えば、自動車ユーザの個人に紐づけたユニットの検知を介して、例えば、携帯電話又は個人設定した自動車キー又はそれぞれの自動車ユーザに割り当てられた別の認証ユニットの検知を介して行ってもよい。ユーザの位置もまた、特に自動車に対して、例えば、自動車ユーザの個人に紐づけたユニットの検知を介して判定してもよいか、又は、例えば、従来の自動車アクセスユニット、例えば、いわゆる無線キーの位置からもまた判定してもよい。このようにして、例えば、自動車ユーザが自動車内にいるのか、又は自動車の外でかつ自動車の近くにいて、その結果として自動車に対してデータ伝送到達範囲にいるのかを判定することが可能である。更に、自動車ユーザの位置は、例えば、同様に衛星支援全地球測位システムを介して、例えば、自動車ユーザの個人に紐づけたユニットを使用して、例えば、ユーザの携帯電話を使用して決定してもよい。気象情報は、例えば、自動車のセンサを使用して、又は気象サービスに接続することによって決定してもよい。自動車周辺情報は、例えば、自動車の周辺検知装置を使用して決定してもよく、この周辺検知装置は、目的に応じて１つ又は複数のセンサ、例えば、超音波センサ、ＬＩＤＡＲセンサ、レーダセンサ、又はカメラ、例えば、ステレオカメラを含む。駐車軌道は、例えば、実際に走行した駐車軌道又は保存されかつ実際に呼び出された駐車軌道であってもよい。１つ又は複数のこの基準を確定することによって、自動車がそれぞれの予め決められた駐車状態にあるかどうかを高い正確性で確定することができ、その結果、自動車ユーザは、少なくとも１つのこれらのそれぞれの駐車状態に割り当てられた自動車に特異的な又は駐車過程状態に特異的な機能を高い信頼性で使用することができる。
【００２３】
好適には、自動車に特異的な又は駐車過程状態に特異的な機能として、予め決められた駐車過程状態に以下が割り当てられる。
−駐車場の閉鎖装置を起動すること、例えば、ガレージドアの開閉、遮断棒の上げ下げ、又は別の閉鎖装置の開閉をすること。起動は、自動車内に設置された装置又は遠隔操作を使用して行われる。例えば、好適には自動車と連結され、その結果として自動車の装置によって操作可能なガレージドアオープナーを使用する。同様に、起動は、自動車ユーザの同定によって、例えば、無線データ伝送接続を介して行ってもよい。
−自動車の暖房装置、例えば、自動車の自動車シートのシートヒータ装置を起動すること、
−自動車の空調装置を起動すること、
−自動車の換気装置、例えば、自動車の自動車シートの換気装置を起動すること、
−自動車のライト装置を起動すること、又は、例えば、自動車から離れている自動車ユーザの周辺を照明するために、ライト装置の停止の遅延を起動すること、
−自動車のパワートレイン要素又はブレーキ装置の予め決められたパラメータｔを設定すること、この設定によって、例えば、自動車のエンジン騒音は、予め決められた駐車過程状態において、例えば、朝又は夜にエンジンを始動するときに、低減することができる。エンジン始動時のこの騒音低減は、サイレントスタートとも呼ぶ。ハイブリッド自動車として形成された自動車では、かかる駐車過程状態において、自動車の電気駆動モータのみを起動することができ、その結果、自動車は、駐車過程状態を特に静かに離れ、自動車の内燃エンジンは、その後に初めて始動される。
【００２４】
ブレーキ装置は、停止された自動車のパーキングブレーキ機能を実現するため又は自動車を予め決められた駐車過程状態へと適切に減速するか若しくは完全な停止状態に移すために、例えば、少なくとも１つの予め決められた位置で中断されることとなる半自動若しくは全自動の駐車過程では、駐車場の閉鎖装置、例えば、遮断棒若しくはガレージドア若しくは回転ドアの開放を待つために、例えば、起動し、予め決められたパラメータに対応して設定することができる。
【００２５】
−自動車の補助ヒータを起動すること、又は補助ヒータのパラメータ、例えば、補助ヒータの起動時点を設定すること、
−自動車、例えば、コンバーチブルの幌機構を起動すること。次いで、予め決められた駐車過程状態において、幌は、例えば、開閉される。
−自動車のウィンドウ要素の設定機構を起動すること、例えば、自動車のサイドウィンドウ又はスライディングルーフ／ルーフウィンドウを開閉すること。
−自動車の自動車シートの、例えば、それぞれの自動車ユーザに適合する、予め決められたシート調整を起動すること。駐車過程状態の特徴を表すための基準は、その場合は目的に応じて、その場にいるそれぞれの自動車ユーザの固有性である。
−自動車のバックミラーの、同様にシート調整に類似して、それぞれの自動車ユーザに適合する、予め決められたミラー調整を起動すること。駐車過程状態の特徴を表すための基準は、その場合は目的に応じて、その場にいるそれぞれの自動車ユーザの固有性である。
−自動車のロックシステムを起動すること、すなわち、自動車を施錠又は開錠すること。
−自動車のスタンバイモードを、例えば自動車ユーザの存在の確定に応じて、例えば個人に紐づけたユニットの検知を介して、起動又は停止すること。
【００２６】
上述の機能は、この方法で既に上述した本方法の利点を実現するために、本方法を使用して駐車過程状態に関連して起動するか、又は自動車ユーザが起動するように提案することができる、特に有利な機能の選択である。
【００２７】
有利には、予め決められた駐車過程状態を検出するために、又は予め決められた自動車に特異的な若しくは駐車過程状態に特異的な機能を起動するために、無線データ伝送接続が使用される。これは、自動車キーとの、例えば、電波を介した、例えば、無線接続又はＷＬＡＮ接続又は携帯電話接続又は無線データ伝送接続であってもよい。例えば、赤外線を使用する、別の無線データ伝送接続もまた可能である。上述したように、自動車の外に位置する自動車ユーザが、好適には無線データ伝送接続を介して自動車と接続されている遠隔操作ユニットを使用してそれぞれの駐車過程を開始、制御、調節、又は監視する遠隔パーキングを使用する場合、目的に応じて、この無線データ伝送接続は、予め決められた駐車過程状態を検出するために、又は特に予め決められた自動車に特異的な若しくは駐車過程状態に特異的な機能を起動するために使用してもよい。
【００２８】
少なくとも１つの予め決められた駐車過程状態に利用可能である多数の利用可能な無線データ伝送接続に対し、目的に応じて、１つの予め決められた駐車過程状態に最も適合したデータ伝送接続が使用される。これは、例えば、それぞれ実際に決定されてもよいが、特に好ましくは、１つの予め決められた駐車過程状態に最も適合したデータ伝送接続は、それぞれの予め決められた駐車過程状態又はそれぞれの自動車に特異的な若しくは駐車過程状態に特異的な機能に割り当てられ、かつ保存される。このようにして、可能なデータ伝送接続のうち１つがそれぞれの駐車過程状態において機能しないために、それぞれの自動車に特異的な若しくは駐車過程状態に特異的な機能が起動されないこと、又は起動のために自動車ユーザに提示されないことが、回避される。
【００２９】
本方法の有利な実施形態では、予め決められた自動車に特異的な又は駐車過程状態に特異的な機能の起動は、予め決められた条件を満たすまで遅延される。そのようにして、例えば、自動車に特異的な又は駐車過程状態に特異的な機能の起動は、自動車が、例えば、ガレージ内に停車しているため、無線データ伝送接続が利用できない時点又は特定の場所で計画される。予め決められた駐車過程状態は、次いで目的に応じて、自動車がまだガレージ前にあるより初期の時点で既に生じる。自動車に特異的な又は駐車過程状態に特異的な機能は、次いで目的に応じて、自動車ユーザにこのより初期の時点で提案される。自動車ユーザがこれらの機能を起動するとき、これらの機能は、ただし好適には時間的に又は自動車の位置経過において遅延され、より遅い時点又はより後の自動車の位置で初めて実施される。その場合起動が効力を生じる、すなわち、機能が実施される予め決められた条件は、その場合、例えば、予め決められた時点、自動車ユーザによる起動からの予め決められた期間、又は自動車の予め決められた位置である。自動車ユーザによる起動命令のこの優先及び機能の実施の遅延によって、機能の実施が、実施が予定されている時点に起動することができず、それにより実施されないままであることが防止される。
【００３０】
特に有利な実施形態では、自動車が予め決められた駐車過程状態にあるとき、複数の予め決められた自動車に特異的な若しくは駐車過程状態に特異的な機能が、予め決められた駐車過程状態の間、複数のステップにおいて順次、起動のために自動車ユーザに提示されるように、又は自動的に起動されるように、いくつかの自動車に特異的な若しくは駐車過程状態に特異的な機能が、自動車の予め決められた駐車過程状態に割り当てられる。このようにして、複数の機能は、異なる位置で又は駐車過程期間の異なる時点で、それぞれ個々に習得される必要があり、その発生に対してより後の駐車過程では、それぞれすべての条件を個々に検証することができる、異なる駐車過程状態ではなく、全駐車過程状態に割り当てられる必要があり、その駐車過程状態は、全体的に習得され、自動車がこの駐車過程状態にあることが検知されたとき、その機能は、順次起動される、又は起動のために自動車ユーザに提示される。
【００３１】
さらに、本方法の有利な実施形態でもまた、１つ又は複数の予め決められた自動車に特異的な又は駐車過程状態に特異的な機能は、より初期の時点又は自動車のより初期の位置で、起動のために自動車ユーザに提示することができるが、その機能の起動後すぐにではなく、より遅い時点又はより後の自動車の位置で実施される。既に上述した事例のように、例えば、自動車に特異的な又は駐車過程状態に特異的な機能の起動は、この場合もまた、自動車が、例えば、ガレージ内に停車しているため、無線データ伝送接続が利用できない時点で計画される。予め決められた駐車過程状態は、次いで目的に応じて、自動車がまだガレージ前にあるより初期の時点で既に生じる。自動車に特異的な又は駐車過程状態に特異的な機能は、次いで目的に応じて、自動車ユーザにこれより初期の時点で提案される。自動車ユーザがこれらの機能を起動するとき、これらの機能は、ただし好適には時間的に又は自動車の位置経過において遅延され、より遅い時点又はより後の自動車の位置で初めて実施される。
【００３２】
本発明による装置は、上述の方法を実施するために形成され、特に設置されている。特に、本装置により、少なくとも１つの予め決められた自動車に特異的な又は駐車過程状態に特異的な機能は、自動車の少なくとも１つの予め決められた駐車過程状態に割り当て可能である。更に、自動車が少なくとも１つの予め決められた駐車過程状態にあるかどうかを判定可能であり、自動車が少なくとも１つの予め決められた駐車過程状態にあるとき、この少なくとも１つの予め決められた駐車過程状態に割り当てられた予め決められた自動車に特異的な若しくは駐車過程状態に特異的な機能が、起動のために自動車ユーザに提示可能である又は自動的に起動可能である。特に、本装置は、自動車の少なくとも１つの予め決められた駐車過程状態及びこの駐車過程状態に割り当てられた少なくとも１つの予め決められた自動車に特異的な又は駐車過程状態に特異的な機能を保存するためのメモリユニットを含む。
本発明の実施例は、以下に図面を参照して詳細に説明する。
【図面の簡単な説明】
【００３３】
【図１】少なくとも１つの駐車過程状態において自動車を運転するための方法での可能な方法手順の概略図である。
【図２】自動車の第２の駐車過程状態の概略図である。
【図３】自動車の更に別の駐車過程状態を斜視図で示した概略図である。
【図４】図３の更に別の駐車過程状態を上から見た平面図で示した概略図である。
【発明を実施するための形態】
【００３４】
互いに対応する部分には、図面全体で同じ参照符号が付されている。
図１は、少なくとも１つの駐車過程状態ＰＶＳにおいて自動車１を運転するための方法での可能な方法手順の概略図である。本方法では、自動車１の少なくとも１つの予め決められた駐車過程状態ＰＶＳに、少なくとも１つの予め決められた自動車に特異的な又は駐車過程状態に特異的な機能Ｆが、割り当てられる。これは、目的に応じて習得過程Ｌで行われる。割り当ては、同様に、継続学習の形式で行ってもよい。更に、目的に応じてより遅い時点で、自動車の通常運転、ブレーキモード、又はブレーキ過程において、自動車１が少なくとも１つの予め決められた駐車過程状態ＰＶＳにあるかどうかが判定される。これが事実であれば、すなわち、自動車１が少なくとも１つの予め決められた駐車過程状態ＰＶＳにある場合には、この少なくとも１つの予め決められた駐車過程状態ＰＶＳに割り当てられた予め決められた自動車に特異的な若しくは駐車過程状態に特異的な機能Ｆが、起動のために自動車ユーザＮに提示される又は自動的に起動される。
【００３５】
現代の自動車１は、多数の機能、特に例えば、ガレージドアオープナー、コンバーチブルの場合はコンバーチブル幌制御、ウィンドウ調整器、ミラー若しくはシート制御、又はいわゆるサイレントスタート機能などのいわゆる追加機能を備え、そのサイレントスタート機能は、それぞれのエンジン形式に応じて、例えば、エンジンのパラメータを、エンジンから可能な限り少ない騒音発生を実現するように、又は、例えば、ハイブリッド自動車では、自動車１が、例えば、住居周辺から出発したとき、他の人々に対する不要な不快感を回避するために、自動車１の電気モータのみをまず初めに始動し、内燃エンジンは、遅れて初めて始動されるように、調整する。自動車１及び自動車内で実施される従来技術による方法では、これらの機能は、駐車過程状態ＰＶＳでそれぞれ個々に自動車ユーザＮ、特に自動車運転者によって手動で、起動される必要がある。その機能は、例えば、それぞれそのために提供された機能に個別のスイッチを使用して又は自動車１の集中操作システム２のメニューを介した選択により、自動車ユーザＮによって起動可能である。別の機能、例えば、自動車１のライト装置のいわゆる遅延消灯、すなわち、自動車ユーザＮの歩行路を照明するために、自動車１の停止後にライト装置の消灯を時間的に遅延させる機能は、自動車ユーザＮがその機能を必要であるとは見なさない場合であっても、常に起動される。
【００３６】
本方法を使用して、異なる予め決められた駐車過程状態ＰＶＳに、１つ又は複数の予め決められた自動車に特異的な又は駐車過程状態に特異的な機能を割り当てられることができ、本方法の実施のために形成されている、特に設置されている装置４のメモリユニット３に保存することができる。次いで、駐車過程状態ＰＶＳは、１つ又は複数の駐車過程状態の特徴を表す基準Ｋから、例えば、自動車１の位置ＫＰ、それぞれの時点ＫＺ、又はそれぞれの自動車ユーザＮの個人に紐づけたユニット、例えば、個人設定した自動車キー若しくは自動車ユーザ認証ＫＮを可能にするそれぞれの自動車ユーザＮの携帯電話の存在の検知から、識別することができる。その際、自動車キーという用語では、例えば、カードキー、アクセスカード、又は身分証明書などもまた、キーレスアクセスシステムを使用して自動車１へのアクセスを許可するための認証媒体として理解されたい。更に別のかかる基準Ｋは、例えば、駐車過程状態ＰＶＳにおいて又はそれに対して選択された駐車軌道ＫＴ、特に入庫軌道若しくは出庫軌道、自動車周辺情報、又は気象情報ＫＷである。自動車周辺情報は、例えば、自動車１の１つ又は複数のセンサユニットを使用して決定することができ、そのセンサユニットは、目的に応じて同様に、本方法を実施するための装置４の構成要素である。例えば、これらのセンサユニットは、自動車１の周辺検知装置又は装置４の構成要素である。これらのセンサユニットは、例えば、それぞれ、レーダセンサ、ＬＩＤＡＲセンサ、超音波センサ、又はカメラ、例えば、ステレオカメラとして形成されていてもよい。複数の同一の又は異なるセンサユニットの組み合わせもまた可能である。気象情報ＫＷは、例えば、自動車１のセンサを使用して、又は気象サービスと通信することによって検知してもよい。気象情報ＫＷは、実際の値又は予測された将来の値である。
【００３７】
かかる予め決められた駐車過程状態ＰＶＳが検知された場合、自動車ユーザＮは、それぞれの駐車過程状態ＰＶＳにそれぞれ割り当てられた自動車に特異的な又は駐車過程状態に特異的な機能Ｆを利用可能となる。例えば、これらの機能は、場合により、問い合わせ及び自動車ユーザＮによる対応する確認の後に自動的に起動されるか、又はこれらの機能は、起動のために自動車ユーザＮに提示される。それにより、自動車１のこれらの機能、特に追加機能の容易な操作可能性及び自動車ユーザＮに対して改善された快適性は、達成され、更に、ほとんど使用しない機能の良好な視認性は、達成される、すなわち、それぞれの駐車過程状態ＰＶＳにおいてかかる機能Ｆはまた、起動のために自動車ユーザＮに提示され、又はこれら機能は、自動的に起動され、自動車ユーザＮは、ほとんど使用されないものとして、これらの機能の利用可能性をもはや認識しない。
【００３８】
特に有利には、本方法は、例えば、図２に示したようないわゆる遠隔パーキングとしてそれぞれの駐車過程が実施される駐車過程状態ＰＶＳに対してもまた適している。すなわち、自動車ユーザＮ、特に自動車運転者は、自動車１の外に位置し、好適には、無線データ伝送接続を介して自動車１と接続されている遠隔操作ユニット５を使用して、それぞれの駐車過程を開始、制御、調整、又は監視する。そのために、本方法は、自動車１の外にいる自動車ユーザＮが自動車に特異的な又は駐車過程状態に特異的な機能Ｆを上述の従来の方法ではなくそれぞれ個々に自動車１に呼び出し、自動車１内の特定のスイッチを操作することによって個々に起動するか、自動車１の集中操作システム２のサブメニューで探すことができるため、特に有利である。したがって、本方法を使用して、自動車１がそれぞれの予め決められた駐車過程状態ＰＶＳにあるとき、それぞれの予め決められた駐車過程状態ＰＶＳに割り当てられた予め決められた自動車に特異的な又は駐車過程状態に特異的な機能Ｆは、目的に応じて自動的に起動されるか、又は目的に応じて遠隔操作ユニット５を介して起動のために自動車ユーザＮに提示されるかのいずれか一方である。
【００３９】
以下に図１に基づいて、少なくとも１つの駐車過程状態ＰＶＳにおいて自動車１を運転するための本方法での可能な方法手順を説明する。それぞれの駐車過程状態ＰＶＳは、既に説明し、図１に図示した実施例で示したように、例えば、位置ＫＰ、時点ＫＺ、自動車ユーザ認証ＫＮ、及び気象情報ＫＷの基準Ｋによって特徴が表される。これらの基準Ｋは、可能な選択肢のみを表している。あるいは、それぞれの駐車過程状態ＰＶＳの特徴を表すための追加の又は別の基準Ｋは、可能性がある。駐車過程状態ＰＶＳは、本方法を実施するための装置４のメモリユニット３に保存され、駐車過程状態ＰＶＳの特徴を表す基準Ｋの新たな判定時に、メモリユニット３から再び呼び出される。習得過程Ｌでは、駐車過程状態ＰＶＳ中に行う自動車１の集中操作システム２の操作及びそれぞれの自動車に特異的な又は駐車過程状態に特異的な機能の、操作から生じた作動が、検知され、駐車過程状態ＰＶＳに割り当てられ、この駐車過程状態と共にメモリユニット３に保存される。駐車過程状態ＰＶＳの特徴を表す基準Ｋの新たな判定時に、駐車過程状態ＰＶＳに割り当てられて保存された自動車に特異的な又は駐車過程状態に特異的な（１つ又は複数の）機能Ｆの呼び出しＡが行われ、その結果、これらの機能は、自動的に起動されるか、又は集中操作システム２を使用して起動のために自動車ユーザＮに提示されるかのいずれか一方である。
【００４０】
以下に、本方法の例示的な経過を、図２に基づいて例示的な一般的利用シナリオを詳細に説明する。この一般的利用シナリオでは、自動車ユーザＮは、自身の自動車１と共に自身のガレージＧの前に来ている、又は別の例では、別の予め決められた駐車位置、例えば、私有／個人用駐車場に来ている。本方法の習得過程Ｌでは、基準Ｋは、予め決められた駐車過程状態ＰＶＳに対してこのとき決定され、自動車に特異的な又は駐車過程状態に特異的な機能Ｆは、予め提示され、この機能は、この予め決められた駐車過程状態ＰＶＳにおいて起動されるか、又は起動のために自動車ユーザＮに提示されることとなる。予め決められた駐車過程状態ＰＶＳは、ガレージＧへの自動車１の入庫である。予め決められた駐車過程状態ＰＶＳの特徴を表すための基準Ｋとして、ガレージＧの前の自動車１の少なくとも位置ＫＰがここでは決定かつ保存される。補足的に、予め決められた駐車過程状態ＰＶＳを可能な限り含んで正確に特徴を表し、それにより後で予め決められた駐車過程状態ＰＶＳの誤検知を回避するために、他の基準Ｋが、決定かつ保存される。
【００４１】
ガレージＧの前で、自動車ユーザＮは、ガレージＧのガレージドアを開けるために特定の保存位置を伴うガレージドアオープナーを使用する、すなわち、自動車ユーザは、ガレージドアオープナーを用いて駐車場の閉鎖装置、詳しく言えばガレージＧのガレージドアを起動する。この例では、自動車１は、コンバーチブルである。したがって、自動車ユーザＮは、更にガレージＧの前で、自身の自動車１のコンバーチブルルーフを閉めるために、自動車１の幌機構を起動する。ガレージＧ内の目標位置に到達し、自動車１から降車したとき、ライトの遅延消灯を達成するために、自動車１のライト装置は、起動される。自動車ユーザＮが自動車１及びガレージＧの外にいるとき、自動車１は、施錠される、すなわち、自動車１のロックシステムは、その自動車の施錠のために起動され、ガレージドアは、自動車ユーザＮによるガレージドアオープナーの対応する命令を用いて閉鎖される、すなわち、駐車場の閉鎖装置、ここではガレージＧのガレージドアは、閉めるために再び起動される。これらの起動は、習得過程Ｌで検知され、予め決められた駐車過程状態ＰＶＳに自動車に特異的な又は駐車過程状態に特異的な機能Ｆとして割り当てられ、メモリユニット３に保存される。
【００４２】
自動車１によるガレージＧに向かう以下の走行では、予め決められた駐車過程状態ＰＶＳの存在は、目的に応じて少なくともガレージＧの前の自動車１の位置ＫＰの基準Ｋにより決定される。すなわち、習得過程Ｌで予め決められた駐車過程状態ＰＶＳの特徴を表す基準Ｋとして確定された、ガレージＧの前の自動車１の位置ＫＰの決定によって、自動車１が予め決められた駐車過程状態ＰＶＳにあることが判定される。ガレージＧ内でこのとき続く入庫過程の間、すなわち、予め決められた駐車過程状態ＰＶＳの間、自動車ユーザＮの支援は、このとき本方法を使用して、この駐車過程状態ＰＶＳに割り当てられた、異なる予め決められた自動車に特異的な若しくは駐車過程状態に特異的な機能Ｆの起動又は起動の提示によって行われる。これは、図示した例では、これが習得過程Ｌで保存されたように、３つのステップで行われる。
【００４３】
ガレージＧの前で、このとき自動車に特異的な又は駐車過程状態に特異的な機能Ｆとして、駐車場の閉鎖装置、すなわち、ガレージＧのガレージドアは、ガレージドアオープナーを使用して自動的に起動される、すなわち、ガレージドアオープナーは、ガレージドアの駆動装置を起動し、ガレージドアを開けるために、装置４によって制御される。あるいは、駐車場の閉鎖装置の起動の、この自動車に特異的な又は駐車過程状態に特異的な機能Ｆが、例えば、ガレージドアオープナーと連結されている自動車１の集中操作システム２の直接プログラムを呼び出し可能な入力として、自動車ユーザＮに提示される。直接プログラムを呼び出し可能なかかる入力は、ショートカットとも呼ぶ。加えて、コンバーチブルとして形成された自動車１のコンバーチブル‐ルーフを閉めるために、幌機構が更に別の自動車に特異的な若しくは駐車過程状態に特異的な機能Ｆとして起動される又は起動のために自動車ユーザＮに提示される。
【００４４】
次のステップでは、ガレージＧ内の目標位置に到達し、自動車１から自動車ユーザＮが降車したとき、ライトの遅延消灯を達成するために、自動車１のライト装置が、起動される又は起動のために自動車ユーザＮに提示される。次のステップでは、自動車ユーザＮが自動車１及びガレージＧの外にいるとき、自動車１の閉鎖装置が、自動車１を施錠するために、更に別の自動車に特異的な若しくは駐車過程状態に特異的な機能Ｆとして起動される又は起動のために自動車ユーザＮに提示され、更に駐車場の閉鎖装置、ここではガレージＧのガレージドアが、ガレージドアをガレージドアオープナーの対応する命令を用いて閉めるために、自動車に特異的な若しくは駐車過程状態に特異的な機能Ｆとして起動される又は起動のために自動車ユーザＮに提示される。
【００４５】
ガレージＧからの出庫過程は、この駐車過程状態ＰＶＳに更に属してもよいか、又は個別の駐車過程状態ＰＶＳを形成してもよい。対応する自動車に特異的な又は駐車過程状態に特異的な機能Ｆは、対応して補足的に、上述の習得過程Ｌにおいて習得され、上述の駐車過程状態ＰＶＳに割り当てられるか、又はガレージＧからの出庫に対して新しい駐車過程状態ＰＶＳが予め提示され、この新しい駐車過程状態ＰＶＳに、以下に詳細に説明するこれらの自動車に特異的な又は駐車過程状態に特異的な機能Ｆは、対応する習得過程Ｌで割り当てられ、保存される。
【００４６】
出庫過程の間、ガレージＧの外にいる自動車ユーザＮは、自動車１を起動する、すなわち、自動車ユーザは、例えば、自動車１のスタンバイモードを起動する。自動車１は、開錠される、すなわち、自動車１のロックシステムは、起動され、ガレージドアは、ガレージドアオープナーの適切に保存された命令によって開けられる、すなわち、駐車場の閉鎖装置は、再び起動される。自動車ユーザＮは、自動車１に乗車する。気温に合わせて、自動車ユーザは、シート換気又はシートヒータ、すなわち、シート換気又はシートヒータの形式の自動車１の換気装置又は暖房装置、及び例えば、自動車１の追加の空調装置、を起動する。その後、自動車１は、ガレージＧの外の地点に到達する。自動車ユーザＮは、ガレージドアを閉める、すなわち、自動車ユーザは、駐車場の閉鎖装置を起動し、天候に応じて、自動車１の幌機構の起動によってコンバーチブルルーフを開ける。これらの起動は、習得過程Ｌで検知され、予め決められた駐車過程状態ＰＶＳに自動車に特異的な又は駐車過程状態に特異的な機能Ｆとして割り当てられ、保存される。
【００４７】
ガレージＧ内からの出庫過程では、自動車ユーザＮの支援は、習得過程Ｌで保存されたものとして、この駐車過程状態ＰＶＳに割り当てられた、異なる予め決められた自動車に特異的な若しくは駐車過程状態に特異的な機能Ｆの起動又は起動の提示によって、いま本方法により行われる。自動車１は、自動的に起動される、すなわち、自動車１のスタンバイモードが起動される、又はこれが起動のために自動車ユーザＮに提示される。自動車１は、自動的に開錠される、すなわち、自動車１のロックシステムが起動される、又はこれが起動のために自動車ユーザＮに提示される。ガレージドアは、ガレージドアオープナーの適切に保存された命令によって開けられる、すなわち、ガレージドアを開けるために、駐車場の閉鎖装置は、再び起動される、又は、この起動は、自動車ユーザＮに提示される。自動車ユーザＮは、自動車１に乗車する。基準Ｋとして学習モードにおいて確定かつ保存された気温に合わせて、シート換気又はシートヒータの形式の自動車１の換気装置又は暖房装置、及び例えば、追加的に自動車１の空調装置は、自動的に起動される、又はこれは起動のために自動車ユーザＮに提示される。その後、自動車１は、ガレージＧの外の地点に到達する。このとき、駐車場の閉鎖装置は、ガレージドアの閉鎖のために自動的に起動される、又はこれは起動のために自動車ユーザＮに提示され、天候に応じて、習得過程Ｌで保存された気象情報ＫＷに対応して、自動車１のコンバーチブルルーフを開けるために、自動車１の幌機構は、自動的に起動される、又は、この起動は、自動車ユーザＮに提示される。それぞれの起動の提示は、ここでもまた、例えば、自動車１の集中操作システム２でのいわゆるショートカットとして、又は、例えば、遠隔操作ユニット５上のプログラムを呼び出し可能な入力として行われる。
【００４８】
したがって、本方法を使用して、それぞれの予め決められた駐車過程状態ＰＶＳの発生は、検知され、それぞれの予め決められた駐車過程状態ＰＶＳの特徴を表すために特に好ましい基準Ｋは、自動車１のそれぞれの位置ＫＰである。それぞれの予め決められた駐車過程状態ＰＶＳに属しかつ保存された自動車１のこの位置ＫＰが再び決定された場合には、それにより、自動車１がこの位置ＫＰに割り当てられた駐車過程状態ＰＶＳにあることが検知される。位置決定は、適切な位置特定方法を使用して、例えば、衛星支援全地球測位システム、例えば、ＧＰＳを使用して決定してもよい。補足的に、例えば、選択された駐車軌道ＫＴ、特に入庫軌道又は出庫軌道は、駐車位置及びその結果として駐車過程状態ＰＶＳを、例えば、ガレージドアを開けなければならないということを特定するために、詳細に特定してもよい。
【００４９】
補足的に、基準Ｋとして、時点ＫＺ、特に日中の時刻は、駐車過程状態ＰＶＳを詳細にその特徴を表してもよい。次いで例えば、自動車に特異的な又は駐車過程状態に特異的な機能Ｆが、このように特徴が表された駐車過程状態ＰＶＳに割り当てられ、自動車１の少なくとも１つのパワートレイン要素の少なくとも１つの所定のパラメータの設定が起動され又は起動のために自動車ユーザＮに提示される。る。例えば、ハイブリッド自動車では、自動車１の電気駆動モータのみが利用されるか、又は、ハイブリッド自動車は、自動車１の内燃エンジンのエンジン始動時に、サイレントスタートとも呼ぶ騒音低減を行う。このようにして、自動車１は、例えば、深夜又は早朝に静穏な走行モードで起動される。補足的に、例えば、それぞれの自動車ユーザＮの個人に紐づけたユニット、例えば、個人設定した自動車キー又はそれぞれの自動車ユーザＮの携帯電話の存在の判定を介して行ってもよい自動車ユーザ認証ＫＮは、例えば、シート位置を予め決められたシート調整の起動によって調整するために、駐車過程状態ＰＶＳを詳細にその特徴を表す基準Ｋに用いられてもよい。
【００５０】
補足的に、基準Ｋとして自動車周辺情報又は実際の若しくは予測された気象情報ＫＷ、例えば、気温、日射、若しくは雨は、例えば、シート空調、すなわち、シートヒータ又はシート換気の形式の自動車１の暖房装置又は換気装置を起動するために、駐車過程状態ＰＶＳを詳細にその特徴を表してもよい。気象情報ＫＷは、例えば、気象サービスの気象データであってもよく、この気象データは、無線インターフェースを介して自動車１に到達する。これらの気象情報ＫＷは、駐車過程状態ＰＶＳを詳細にその特徴を表す基準Ｋとして、例えば、コンバーチブルルーフを開けるために幌機構の起動に用いられるか、又は自動車１の補助ヒータの起動に、又は、例えば、補助ヒータを翌日に設定するために補助ヒータの少なくとも１つのパラメータを設定するために用いられる。
【００５１】
駐車過程状態ＰＶＳにおいて、本方法を使用して、例えば、駐車過程状態ＰＶＳの異なる段階又はステップで、それぞれ１つ若しくは複数の予め決められた自動車に特異的な若しくは駐車過程状態に特異的な機能Ｆは、起動されてもよいか、又は起動するように提示されてもよい。第１のステップでは、例えば、目標位置の前でいわゆるホーム区域若しくは自宅駐車区域に到達した場合、自動車に特異的な若しくは駐車過程状態に特異的な機能Ｆとして、コンバーチブルとして形成された自動車１では、例えば、自動車１の幌機構は、幌を閉じるために起動されてもよく、例えば、駐車場の閉鎖装置は、ガレージドアを開けるために起動されてもよいか、又は、例えば、少なくとも１つのパワートレイン要素の少なくとも１つの予め決められたパラメータの設定は、静穏な走行に切り替えるために、例えば、ハイブリッド自動車では電気駆動モータの起動及び内燃エンジンの停止によって起動されてもよい。
【００５２】
次のステップでは、例えば、目的位置に到達した場合、１つ若しくは複数の他の予め決められた自動車に特異的な若しくは駐車過程状態に特異的な機能Ｆは、起動されてもよいか、又は起動するために提示されてもよい。次のステップでは、例えば、目標位置にある自動車１を外から施錠する場合、他の予め決められた自動車に特異的な若しくは駐車過程状態に特異的な機能Ｆは、起動されてもよいか、又は起動するために提示されてもよく、自動車１の施錠、すなわち、自動車１のロックシステムの起動はまた、既にかかる予め決められた自動車に特異的な若しくは駐車過程状態に特異的な機能Ｆであってもよい。
【００５３】
次のステップでは、例えば、停止した自動車１を開錠する場合、他の予め決められた自動車に特異的な若しくは駐車過程状態に特異的な機能Ｆは、起動されてもよいか、又は起動するために提示されてもよく、自動車１の開錠、すなわち、自動車１のロックシステムの起動はまた、既にかかる予め決められた自動車に特異的な若しくは駐車過程状態に特異的な機能Ｆであってもよい。次のステップでは、例えば、駐車位置での始動時に、他の予め決められた自動車に特異的な若しくは駐車過程状態に特異的な機能Ｆは、起動されてもよいか、又は起動のために提示されてもよく、例えば、シート空調の起動、すなわち、シートヒータ若しくはシート換気の形式の自動車１の暖房装置若しくは換気装置の起動である。
【００５４】
次のステップでは、例えば、ホーム区域若しくは自宅駐車区域から離れる場合、他の予め決められた自動車に特異的な若しくは駐車過程状態に特異的な機能Ｆは、起動されてもよいか、又は起動のために提示されてもよく、例えば、コンバーチブルとして形成された自動車１では、自動車１の幌機構は、幌を開けるために起動されてもよく、例えば、駐車場の閉鎖装置は、ガレージドアを閉めるために起動されてもよいか、又は、例えば、少なくとも１つのパワートレイン要素の少なくとも１つの予め決められたパラメータの設定は、例えば、ハイブリッド自動車では電気駆動モータの起動及び内燃エンジンの停止によって静穏な走行に切り替えるために起動されてもよい。
【００５５】
遠隔操作ユニット５を使用して実施される、遠隔パーキングとも呼ぶ駐車過程では、上述したステップで、かつこのステップで起動する又は起動のために提示する様々な予め決められた自動車に特異的な若しくは駐車過程状態に特異的な機能Ｆは、例えば、目標位置への到達と目標位置での外からの施錠とが、又は停止した自動車１の開錠と駐車位置での始動とが、重なってもよい。
【００５６】
どのような予め決められた自動車に特異的な又は駐車過程状態に特異的な機能Ｆ、特に自動車１の追加機能を用いて、またどのようにして、本方法は、自動車ユーザＮを支援することとなるのかを、様々な方法で学習してもよい。選択肢は、自動車ユーザＮによる少なくとも１つの操作の表示において自動車ユーザＮによる学習モードの起動後に、例えば、位置ＫＰで、この位置ＫＰにより特徴が表されている駐車過程状態ＰＶＳにこの操作を予め決められた自動車に特異的な又は駐車過程状態に特異的な機能Ｆとして割り当てるために、何度も得られる。他の選択肢は、自動車ユーザＮによる操作の連続学習において、複数回使用された駐車過程状態ＰＶＳに到達した場合に自動的に得られる。他の選択肢は、それぞれの駐車過程状態ＰＶＳに対する自動車ユーザＮによる調整の要請の設定において、例えば、集中操作システム２のメニューで得られる。この場合は、例えば、第１の選択肢と第３の選択肢とを、又は第２の選択肢と第３の選択肢とを組み合わせることも可能である。
【００５７】
本方法により自動車ユーザＮを支援するために、様々な変形形態は、可能であり、例えば、それぞれの駐車過程状態ＰＶＳにいる自動車ユーザＮに、駐車過程状態ＰＶＳのうちの個々のステップにおいて、それぞれの状態で頻繁に使用された予め決められた自動車に特異的な又は駐車過程状態に特異的な機能Ｆに関するショートカットが、すなわち、例えば、直接プログラムを呼び出し可能な入力の形式で、提示される。これは、その場合、自動車ユーザＮは、自動車１の操作要素を使用可能となっていないため、外から、すなわち、自動車１の外からの操作の場合に特に有利である。ショートカットは、その場合、例えば、遠隔操作ユニット５において選択のために自動車ユーザに対し表示される。
【００５８】
他の変形形態では、それぞれの駐車過程状態ＰＶＳにおいて、個々の予め決められた自動車に特異的な又は駐車過程状態に特異的な機能Ｆを操作する場合、駐車過程状態ＰＶＳのうちの個々のステップで頻繁に使用されるデフォルト値が自動車ユーザＮに提示される、すなわち、過去に予め決められた駐車過程状態ＰＶＳにおいて最も頻繁に使用された、自動車に特異的な又は駐車過程状態に特異的な機能の１つ又は複数のパラメータが、起動のために自動車ユーザＮに提示される。他の変形形態では、それぞれの自動車に特異的な又は駐車過程状態に特異的な機能Ｆは、それぞれ学習された構成において自動的に起動される。ただし、ある実施形態では、この自動起動は、問い合わせ後に初めて、すなわち、自動車ユーザＮによる確認後に初めて行われる。
【００５９】
遠隔パーキングでは、すなわち、いわゆる自動車１の遠隔操作では、例えば、遠隔操作ユニット５を使用して実行される駐車過程では、命令は、自動車１に無線データ伝送接続を介して、特に無線インターフェースを介して伝送される。例えば、複数の無線データ伝送接続、特に無線接続、例えば、ＷＬＡＮ、携帯通信、又は自動車キーを介した通信もまた利用可能である。可能なデータ伝送手段に関する先験的知識は、無線データ伝送接続を介した通信が今後もはや可能ではない場合、自動車に特異的な又は駐車過程状態に特異的な機能Ｆを優先させるために、有益であり得る。例えば、その場合、サーバへのデータ伝送は、ガレージＧ内への進入前に既に行われている。更に、このようにして、起こりうる通信障害もまた、例えば、ガレージドアの閉鎖後にガレージドアが自動車に特異的な又は駐車過程状態に特異的な機能Ｆによってもはや開くことができない場合、早期に指摘することができる。最適な支援を可能にするために、したがって好適には、本方法において、どのステップでそれぞれの駐車過程状態ＰＶＳが特定の位置でどのデータ伝送接続又はデータ伝送チャネルを利用可能なのかが学習される。好適には、それぞれのステップで最適な利用可能となっているデータ伝送接続は、選択される。目的に応じて、あるステップにおける自動車ユーザＮの支援は、駐車過程状態ＰＶＳのうちの以下のステップにおけるデータ伝送接続選択肢に適合される。
【００６０】
自動車に特異的な又は駐車過程状態に特異的な機能Ｆとして、例えば、以下が考慮に値する。
−例えば、ガレージドアオープナーを使用して、駐車場の閉鎖装置を起動すること、
−自動車１の少なくとも１つの暖房装置又は換気装置、例えば、シートヒータ又はシート換気を起動すること、
−自動車１の少なくとも１つの空調装置を起動すること、
−自動車１の少なくとも１つの換気装置を起動すること、
−自動車１の少なくとも１つのライト装置を起動すること、又は、例えば、照明の遅延消灯を達成するために、ライト装置の停止の遅延を起動すること、
−自動車１の少なくとも１つのパワートレイン要素又は少なくとも１つのブレーキ装置の少なくとも１つの予め決められたパラメータを設定すること、例えば、走行モード、例えば、ハイブリッド自動車での全電気運転における静穏な走行を設定すること、
−自動車１の補助ヒータを起動すること又は補助ヒータの少なくとも１つのパラメータを設定すること、
−幌を開閉するための、自動車１の幌機構を起動すること、
−例えば、自動車１の１つ、複数、又は全てのウィンドウを開閉するための、自動車１の少なくとも１つのウィンドウ要素の調整機構を起動すること、
−自動車１の少なくとも１つの自動車シートの予め決められたシート調整を起動すること、
−自動車１の少なくとも１つのバックミラーの予め決められたミラー調整を起動すること、
−自動車１を開錠又は施錠するための、自動車１のロックシステムを起動すること、
−自動車１のスタンバイモードを起動又は停止すること。
【００６１】
例えば、ガレージドアオープナーを使用する、駐車場の閉鎖装置の起動に関して、自動車１内に多くの場合、開くための操作命令は、様々なガレージドアによって保存されていることに留意されたい。特に位置ＫＰの基準Ｋにより特徴が表されている駐車過程状態ＰＶＳによって、すなわち、位置情報によって、どのガレージドアが、そしてそれと同時にどの保存された命令が関係し、起動される必要があるのか、詳しく言えば、どの命令を用いてそれぞれの駐車場の閉鎖装置を起動する必要があるのかを特定することができる。
【００６２】
図３及び図４では、予め決められた駐車軌道ＫＴに沿った駐車場に入庫するための自動車１の駐車過程を含む、他の駐車過程状態ＰＶＳを図示してあり、少なくとも１つの閉鎖装置が、この駐車軌道ＫＴに沿って配置され、この閉鎖装置は、自動車１が走行を駐車軌道ＫＴに沿って続行することができる前に、まず初めに開けられるべきである。ここに示した例では、２つのその種の閉鎖装置、例えば、ドアＴ及び遮断棒Ｓが存在する。代替的に又は追加的に、別の閉鎖装置もまた、例えば、ガレージドアの形式で、又は格納式遮断機の形式で可能である。ドアＴとして、例えば、旋回ドアとして形成された閉鎖装置は、例えば、遠隔操作可能なアクセス制限として形成されている。遮断棒Ｓは、例えば、ＲＦＩＤ送受信ユニットを、例えば、ＲＦＩＤ読み取り機の形式で備える。自動車１は、例えば、いわゆるＲＦＩＤタグとして形成されたＲＦＩＤ送受信ユニットを備え、このＲＦＩＤ送受信ユニットは、遮断棒ＳのＲＦＩＤ読み取り機によって読み取ることができる。自動車１が遮断棒Ｓに接近した場合、遮断棒Ｓ及び自動車１のＲＦＩＤ送受信ユニットは、相互に通信し、それに基づいて、遮断棒Ｓは、開く。
【００６３】
本方法では、習得過程Ｌにおいて、駐車軌道ＫＴは、少なくとも１回走行される。開けられるべきそれぞれの閉鎖装置の前で、自動車１は、停止される。ドアＴでは、例えば、自動車固有のユーザインターフェース又は個別の装置を介して、例えば、ガレージドアオープナーの形式で又は対応するユーザインターフェースを備えた携帯電話の形式で、それぞれの閉鎖装置の起動が行われる、すなわち、ドアＴは、遠隔操作で開けられる。遮断棒Ｓでは、自動車１は、遮断棒Ｓの前でのみ停止され、待機する。なぜなら、２つのＲＦＩＤ送受信ユニット間の通信は、これらのＲＦＩＤ送受信ユニットが互いに送受信範囲内にあるとき、自動的に行われ、遮断棒Ｓは、それに基づいて自動的に開くからである。閉鎖装置の前での自動車１のこの停止及び対応するインターフェースを使用するドアＴとして形成された閉鎖装置の起動は、このインターフェースは、アクティブに制御される必要がある、したがって、アクティブに操作されるべき遠隔操作として働くが、それぞれ予め決められた自動車に特異的な又は駐車過程状態に特異的な機能Ｆとして駐車過程状態ＰＶＳに割り当てられ、駐車軌道ＫＴ上のそれぞれの位置ＫＰと共に、好適には、位置座標の形式で保存される。
【００６４】
したがって、図示された例では、習得過程Ｌの終了後、２つの軌道結果は、予め決められた自動車に特異的な又は駐車過程状態に特異的な機能Ｆとして保存される：遠隔操作として作用するユーザインターフェースを使用するドアＴの開放と組み合わせた、ドアＴの前の自動車１を停止すること、及び遮断棒Ｓの前で自動車１を停止することである。確かに、ＲＦＩＤ技術を使用して開けられるべき遮断棒Ｓでは、アクティブな遠隔操作起動が必要ではないが、しかし、かかる軌道結果はまた、突然発生する障害の区別を可能にするために、予め決められた自動車に特異的な又は駐車過程状態に特異的な機能Ｆとして保存することが有効である。
【００６５】
予め決められた自動車に特異的な又は駐車過程状態に特異的な機能Ｆとして、自動車１をそれぞれの閉鎖装置の前で停止するために、例えば、自動車１のパワートレイン要素又はブレーキ装置の予め決められたパラメータの対応する設定は、保存される、すなわち、この予め決められた自動車に特異的な又は駐車過程状態に特異的な機能Ｆが引き続いて再び起動されるときには、パワートレイン要素又はブレーキ装置は、自動車１が、例えば、ブレーキ装置の対応する操作によって停止するように調整される。遠隔操作として作用するユーザインターフェースを使用するドアＴの開放は、予め決められた自動車に特異的な又は駐車過程状態に特異的な機能Ｆとして、この閉鎖装置の起動の形式で保存され、その結果、この予め決められた自動車に特異的な又は駐車過程状態に特異的な機能Ｆが引き続いて再び起動されるとき、ドアＴに対する遠隔操作として作用するユーザインターフェースは、自動的に起動される。
【００６６】
その場合、この特性を示す軌道は、後に続く自動走行では、自動車１用のテンプレートとして役立つ。駐車軌道ＫＴは、後に続いて、例えば、全自動で走行してもよい。これに加えて、例えば、自動車ユーザＮによって、駐車軌道ＫＴは、選択されるか、又は、自動車１が、例えば、駐車軌道ＫＴの始点にあるとき、予め決められた駐車過程状態ＰＶＳとして検知される。自動駐車軌道走行の開始後、学習された軌道は、自動車１によって全自動で走行される。学習された自動車に特異的な又は駐車過程状態に特異的な機能Ｆに基づいて、補足すれば、例えば、他の実際の自動車周辺情報によって、自動車１は、それぞれの閉鎖装置に対して安全な距離でそれぞれ停止される。すなわち、自動車に特異的な又は駐車過程状態に特異的な機能Ｆとして、自動車１のパワートレイン要素又はブレーキ装置の予め決められたパラメータは、自動車１が、例えば、ブレーキ装置の起動によって停止するように設定される。
【００６７】
このようにして、自動車１は、ここに図示された例ではまず初めに、遠隔操作可能なドアＴの前の安全な距離で停止される。このとき、他の予め決められた自動車に特異的な又は駐車過程状態に特異的な機能Ｆとして、遠隔操作可能なドアＴとして形成された閉鎖装置は、遠隔操作として作用するユーザインターフェースを使用して起動される、すなわち、ドアＴに対する遠隔操作は、操作される。自動車１の対応する周辺検知装置及び対応するセンサユニットを使用して検知された自動車周辺情報からすぐに、ドアＴが開けられたことが検出され、駐車軌道ＫＴに沿った全自動走行は、継続される。
【００６８】
ドアＴを通過走行した後、これが習得過程Ｌにおいて他の自動車に特異的な又は駐車過程状態に特異的な機能Ｆとして、学習かつ保存されたとき、ユーザインターフェースの対応する操作によって、ドアＴとして形成された閉鎖装置は、閉鎖するために起動することができる。遮断棒Ｓに到達したとき、自動車に特異的な又は駐車過程状態に特異的な機能Ｆとして、自動車１のパワートレイン要素又はブレーキ装置の予め決められたパラメータは、自動車１が、例えば、ブレーキ装置の起動によって停止するように、新たに設定される。ここでは、遮断棒Ｓは、２つのＲＦＩＤ送受信ユニットの自動通信に応じて開けられるため、他の予め決められた自動車に特異的な又は駐車過程状態に特異的な機能Ｆは、必要ではない。
【００６９】
自動車１の対応する周辺検知装置及び対応するセンサユニットを使用して検知された自動車周辺情報からすぐに、ドアＴが開けられたことが検出され、駐車軌道ＫＴに沿った全自動走行は、このとき駐車場の目的位置に達するまで継続される。センサユニットとして、自動車１の周辺検知装置は、好適には、ステレオカメラ又はレーダセンサユニットを備える。したがって、本方法のこの実施形態では、駐車軌道ＫＴに沿った１つ又は複数の閉鎖装置の場合でもまた、自動車１の全自動駐車過程は、可能となる。自動車１の安全な停止がかかる閉鎖装置の前で、好適には、閉鎖装置の自動起動が可能となるため、半自動駐車過程もまた簡素化されている。
【図１】
2018505085.tif 000003
【図２】
2018505085.tif 000004
【図３】
2018505085.tif 000005
【図４】
2018505085.tif 000006
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
駐車過程状態（ＰＶＳ）において自動車（１）を運転するための方法であって、
−予め決められた自動車に特異的な又は駐車過程状態に特異的な機能（Ｆ）が、前記自動車（１）の少なくとも１つの予め決められた駐車過程状態（ＰＶＳ）に割り当てられ、
−前記自動車（１）が前記１つの予め決められた駐車過程状態（ＰＶＳ）にあるかどうかが判定され、
−前記自動車（１）が前記１つの予め決められた駐車過程状態（ＰＶＳ）にあるとき、この１つの予め決められた駐車過程状態（ＰＶＳ）に割り当てられた前記予め決められた自動車に特異的な又は駐車過程状態に特異的な機能（Ｆ）が、起動のために自動車ユーザ（Ｎ）に提示される又は自動的に起動される方法において、
前記予め決められた駐車過程状態（ＰＶＳ）に、自動車に特異的な又は駐車過程状態に特異的な機能（Ｆ）として、少なくとも以下の１つ、すなわち、
−駐車場の閉鎖装置を起動すること、
−前記自動車（１）の暖房装置を起動すること、
−前記自動車（１）の空調装置を起動すること、
−前記自動車（１）の換気装置を起動すること、
−前記自動車（１）のライト装置を起動すること、又は、前記ライト装置の停止の遅延を起動すること、
−前記自動車（１）の補助ヒータを起動すること、又は前記補助ヒータのパラメータを設定すること、
−前記自動車（１）の幌機構を起動すること、
−前記自動車（１）のウィンドウ要素の調整機構を起動すること、
−前記自動車（１）の自動車シートの予め決められたシート調整を起動すること、
−前記自動車（１）のバックミラーの予め決められたミラー調整を起動すること、
−前記自動車（１）のロックシステムを起動すること、
−前記自動車（１）のスタンバイモードを起動又は停止すること、が割り当てられることを特徴とする、方法。
【請求項２】
請求項１に記載の方法であって、
前記自動車（１）の予め決められた駐車過程状態（ＰＶＳ）に対する前記１つの予め決められた自動車に特異的な又は駐車過程状態に特異的な機能（Ｆ）の前記割り当てが、習得過程（Ｌ）において実施され、前記習得過程（Ｌ）が、１つ又は複数の以下のステップ、すなわち、
−前記駐車過程状態（ＰＶＳ）、及び前記自動車ユーザ（Ｎ）によって起動される学習モードにおいてこの駐車過程状態（ＰＶＳ）で実施される自動車に特異的な又は駐車過程状態に特異的な機能（Ｆ）の少なくとも１つの起動を保存するステップ、
−複数回発生した前記駐車過程状態（ＰＶＳ）、及び発生したそれぞれの駐車過程状態（ＰＶＳ）において実施される自動車に特異的な又は駐車過程状態に特異的な機能（Ｆ）の少なくとも１つの起動を保存するステップ、
−少なくとも１つの駐車過程状態（ＰＶＳ）、及び少なくとも１つの割り当てられる自動車に特異的な又は駐車過程状態に特異的な機能（Ｆ）を予め決めるステップ、並びにこれらの予め決めたことを保存するステップ、を含むことを特徴とする、方法。
【請求項３】
請求項１又は２に記載の方法であって、
前記自動車（１）が前記少なくとも１つの予め決められた駐車過程状態（ＰＶＳ）にあるとき、過去に前記予め決められた駐車過程状況（ＰＶＳ）で最も頻繁に使用された前記自動車に特異的な又は駐車過程状況に特異的な機能（Ｆ）の１つ又は複数のパラメータが、起動のために前記自動車ユーザ（Ｎ）に提示されることを特徴とする、方法。
【請求項４】
請求項１〜３のいずれか一項に記載の方法であって、
前記１つの予め決められた駐車過程状態（ＰＶＳ）に割り当てられた、前記予め決められた自動車に特異的な又は駐車過程状態に特異的な機能（Ｆ）が、前記自動車ユーザ（Ｎ）による確認後に起動されることを特徴とする、方法。
【請求項５】
請求項１〜４のいずれか一項に記載の方法であって、
前記予め決められた駐車過程状態（ＰＶＳ）が、少なくとも１つ又は複数の以下の基準（Ｋ）、すなわち、
−前記自動車（１）の位置（ＫＰ）、
−前記駐車過程状態（ＰＶＳ）の時点（ＫＺ）又は期間、
−自動車ユーザ認証（ＫＮ）、
−前記自動車ユーザ（Ｎ）の位置、
−実際の又は予測された気象情報（ＫＷ）、
−自動車周辺情報、
−駐車軌道（ＫＴ）、によって特徴付けられることを特徴とする、方法。
【請求項６】
請求項１〜４のいずれか一項に記載の方法であって、
前記予め決められた駐車過程状態（ＰＶＳ）に、自動車に特異的な又は駐車過程状態に特異的な機能（Ｆ）として、以下の１つ、すなわち、
−前記自動車（１）のパワートレイン要素又はブレーキ装置の予め決められたパラメータを設定すること、が割り当てられることを特徴とする、方法。
【請求項７】
請求項１〜４のいずれか一項に記載の方法であって、
前記１つの予め決められた駐車過程状態（ＰＶＳ）を検出するために、又は前記１つの予め決められた自動車に特異的な又は駐車過程状態に特異的な機能（Ｆ）を起動するために、無線データ伝送接続が使用されることを特徴とする、方法。
【請求項８】
請求項７に記載の方法であって、
前記１つの予め決められた駐車過程状態（ＰＶＳ）に利用可能である多数の利用可能な無線データ伝送接続に対し、前記１つの予め決められた駐車過程状態（ＰＶＳ）に最も適合したデータ伝送接続が使用されることを特徴とする、方法。
【請求項９】
請求項１〜４のいずれか一項に記載の方法であって、
前記自動車（１）が前記予め決められた駐車過程状態（ＰＶＳ）にあるとき、複数の予め決められた自動車に特異的な又は駐車過程状態に特異的な機能（Ｆ）が、前記予め決められた駐車過程状態（ＰＶＳ）の間、複数のステップにおいて順次、起動のために前記自動車ユーザ（Ｎ）に提示されるように、又は自動的に起動されるように、いくつかの予め決められた自動車に特異的な又は駐車過程状態に特異的な機能が、前記自動車（１）の前記予め決められた駐車過程状態（ＰＶＳ）に割り当てられることを特徴とする、方法。
【請求項１０】
請求項１〜９のいずれか一項に記載の方法の実施のために形成された装置（４）であって、前記装置により、
−少なくとも１つの予め決められた自動車に特異的な又は駐車過程状態に特異的な機能（Ｆ）が、前記自動車（１）の少なくとも１つの予め決められた駐車過程状態（ＰＶＳ）に割り当て可能であり、
−前記自動車（１）が前記少なくとも１つの予め決められた駐車過程状態（ＰＶＳ）にあるかどうかが判定可能であり、
−前記自動車（１）が前記少なくとも１つの予め決められた駐車過程状態（ＰＶＳ）にあるとき、この少なくとも１つの予め決められた駐車過程状態（ＰＶＳ）に割り当てられた前記予め決められた自動車に特異的な若しくは駐車過程状態に特異的な機能（Ｆ）が、起動のために前記自動車ユーザ（Ｎ）に提示可能である又は自動的に起動可能であるものにおいて、
前記装置（４）が、前記予め決められた駐車過程状態（ＰＶＳ）に、自動車に特異的な又は駐車過程状態に特異的な機能（Ｆ）として、少なくとも以下の１つ、すなわち、
−駐車場の閉鎖装置を起動すること、
−前記自動車（１）の暖房装置を起動すること、
−前記自動車（１）の空調装置を起動すること、
−前記自動車（１）の換気装置を起動すること、
−前記自動車（１）のライト装置を起動すること、又は、前記ライト装置の停止の遅延を起動すること、
−前記自動車（１）の補助ヒータを起動すること、又は前記補助ヒータのパラメータを設定すること、
−前記自動車（１）の幌機構を起動すること、
−前記自動車（１）のウィンドウ要素の調整機構を起動すること、
−前記自動車（１）の自動車シートの予め決められたシート調整を起動すること、
−前記自動車（１）のバックミラーの予め決められたミラー調整を起動すること、
−前記自動車（１）のロックシステムを起動すること、
−前記自動車（１）のスタンバイモードを起動又は停止すること、が割り当てられるように調整されることを特徴とする、装置。
【国際調査報告】
2018505085.tif 000007
2018505085.tif 000008
2018505085.tif 000009
2018505085.tif 000010